(57)【特許請求の範囲】
【請求項１】
地中に埋設されており、戸外から取り込まれた外気を自らの内部において流通させながら地中熱と熱交換させる地中パイプと、
内部に備えられた多数の各蓄熱体間の隙間を介して空気の流通が可能となっており、戸外から取り込まれた外気を自らの内部において流通させながら前記各蓄熱体と熱交換させる外気流通蓄熱層であって、前記地中パイプと空気流通可能に接続されている外気流通蓄熱層と、
戸外からの外気を取り込み、この取り込んだ外気を前記の外気流通蓄熱層及び地中パイプの内部において流通させてから建物の室内に供給する換気用ファンと、を備え、
前記外気流通蓄熱層は、建物の外側において外壁面と隣接する地面上の領域であって外壁面に沿って細長く延びる地面上の領域から上方向に延びる仕切り空間内に多数の蓄熱体が収容されることにより形成されている、外壁側外気流通蓄熱層を備えた建物内換気システム。
【請求項２】
地中に埋設されており、戸外から取り込まれた外気を自らの内部において流通させながら地中熱と熱交換させる地中パイプと、
内部に備えられた多数の各蓄熱体間の隙間を介して空気の流通が可能となっており、戸外から取り込まれた外気を自らの内部において流通させながら前記各蓄熱体と熱交換させる外気流通蓄熱層であって、前記地中パイプと空気流通可能に接続されている外気流通蓄熱層と、
戸外からの外気を取り込み、この取り込んだ外気を前記の外気流通蓄熱層及び地中パイプの内部において流通させてから建物の室内に供給する換気用ファンと、を備え、
前記外気流通蓄熱層は、建物の内側において外壁面と近接する床面上の領域であって外壁面に沿って細長く延びる床面上の領域から上方向に延びる仕切り空間内に多数の蓄熱体が収容されることにより形成されている、外壁側外気流通蓄熱層を備えた建物内換気システム。
【請求項３】
前記各蓄熱体が収容される仕切り空間は、少なくともその一つの面が外壁面により画されている、請求項１又は２に記載の外壁側外気流通蓄熱層を備えた建物内換気システム。
【請求項４】
前記各蓄熱体が収容される仕切り空間は、略箱状容器により外部と仕切られている、請求項１又は２に記載の外壁側外気流通蓄熱層を備えた建物内換気システム。
【発明の詳細な説明】
【技術分野】
【０００１】
本発明は地中熱などを利用した建物内換気システムに関する。
【背景技術】
【０００２】
従来より、例えば床下空間内に多数のグリ石を充填させることにより床下空間内蓄熱層を形成しておき、戸外からの空気を前記床下空間内蓄熱層内に導入して熱交換させ、さらにこの熱交換された空気を、地盤面から例えば約５〜８ｍ（又は２〜１０ｍ）の地中に埋設した地中パイプ中で流通させながら地中熱と熱交換させ、この熱交換された空気を建物の室内や床下空間に供給するようにした、地中熱利用建物空調システムが知られている（特許文献１，２参照）。なお、特許文献１，２において使用されている前記地中パイプは、例えば、下端部が閉塞された外管と、外管の内部に配置され下端部が開放された内管とから成り、戸外から導入した空気を外管と内管との間の隙間内で下降させた後、外管の底部に衝突させ反転させた後に内管の内部に移動させて上昇させる二重パイプで、前記空気を前記下降、衝突及び反転などの過程で地中熱と熱交換させるものである。
【先行技術文献】
【特許文献】
【０００３】
【特許文献１】特許第３０３００２２号公報
【特許文献２】特許第４９７０８１７号公報
【発明の概要】
【発明が解決しようとする課題】
【０００４】
前述のような従来の床下空間内蓄熱層は、建物にもともと存在する床下空間内に多数のグリ石を収容、充填するだけで形成することができるので、地中熱を利用した効率的な建物空調システムを安価に実現するために有意義な技術である。
【０００５】
しかしながら、既築の建物の床下にグリ石を入れることは実際上極めて困難であることから、特許文献１，２に示すような床下空間内蓄熱層は、事実上、新築の建物にしか設置することができない。そのため、従来は、既築の建物に対しては、地中熱及び蓄熱層を利用した建物空調システムを低コストで効率よく設置（追加）することが、できなかった。
【０００６】
本発明はこのような従来技術の問題点に着目してなされたものであって、地中熱及び蓄熱層を利用した建物内換気システムを、既築の建物に対しても低コストで効率よく設置（追加）できるようにすることを目的とする。
【課題を解決するための手段】
【０００７】
以上のような課題を解決するための本発明による外壁側外気流通蓄熱層を備えた建物内換気システムは、建物の外壁の外側又は内側の領域であって地盤面又は床面中の外壁と隣接する所定領域から上方向（縦方向）に突出するように且つ外部と仕切られるように形成された空間内に、多数のグリ石その他の蓄熱体が、前記各蓄熱体の間に互いに空気が流通可能な隙間が存在するように、収容されて成る蓄熱層と、地中に埋設されており、戸外から取り込まれた外気を自らの内部において流通させながら地中熱と熱交換させる地中パイプであって前記蓄熱層と空気流通可能に接続されている地中パイプと、を備えたものである。
【０００８】
そして、本発明による外壁側外気流通蓄熱層を備えた建物内換気システムは、地中に埋設されており、戸外から取り込まれた外気を自らの内部において流通させながら地中熱と熱交換させる地中パイプと、内部に備えられた多数の各蓄熱体間の隙間を介して空気の流通が可能となっており、戸外から取り込まれた外気を自らの内部において流通させながら前記各蓄熱体と熱交換させる外気流通蓄熱層であって、前記地中パイプと空気流通可能に接続されている外気流通蓄熱層と、戸外からの外気を取り込み、この取り込んだ外気を前記の外気流通蓄熱層及び地中パイプの内部において流通させてから建物の室内に供給する換気用ファンとを備え、前記外気流通蓄熱層は、建物の外側において外壁面と隣接する地面上の領域であって外壁面に沿って細長く延びる地面上の領域から上方向に延びる仕切り空間内に多数の蓄熱体が収容されることにより形成されるものである。
【０００９】
また、本発明による外壁側外気流通蓄熱層を備えた建物内換気システムは、地中に埋設されており、戸外から取り込まれた外気を自らの内部において流通させながら地中熱と熱交換させる地中パイプと、内部に備えられた多数の各蓄熱体間の隙間を介して空気の流通が可能となっており、戸外から取り込まれた外気を自らの内部において流通させながら前記各蓄熱体と熱交換させる外気流通蓄熱層であって、前記地中パイプと空気流通可能に接続されている外気流通蓄熱層と、戸外からの外気を取り込み、この取り込んだ外気を前記の外気流通蓄熱層及び地中パイプの内部において流通させてから建物の室内に供給する換気用ファンとを備え、前記外気流通蓄熱層は、建物の内側において外壁面と近接する床面上の領域であって外壁面に沿って細長く延びる床面上の領域から上方向に延びる仕切り空間内に多数の蓄熱体が収容されることにより形成されるものである。
【００１０】
また、本発明による外壁側外気流通蓄熱層を備えた建物内換気システムにおいては、前記各蓄熱体が収容される仕切り空間は少なくともその一つの面が外壁面により画されていてもよい。
【００１１】
さらに、本発明による外壁側外気流通蓄熱層を備えた建物内換気システムにおいては、前記各蓄熱体が収容される仕切り空間は略箱状容器により外部と仕切られていてもよい。
【発明の効果】
【００１２】
本発明においては、前記地中パイプと空気流通可能に接続された蓄熱層、前記地中パイプからの空気を自らの内部に導入した後に室内又は床下空間に供給する蓄熱層、又は戸外からの空気を自らの内部に導入した後に前記地中パイプに供給する蓄熱層を、地盤面又は床面における外壁と隣接する領域（外壁の外側又は内側の領域）から上方向（縦方向）に突出するように形成された空間内に、多数のグリ石その他の蓄熱体を収容することにより形成している。このように、本発明では、前記蓄熱層を建物の床下空間を使用しないで構成するようにしたので、前記蓄熱層を、既築の建物に対しても、低コストで且つ容易に付加できるようになる。よって、本発明によれば、地中熱及び蓄熱層を利用した建物空調システムを、既築の建物に対しても、低コストで且つ効率よく設置（追加）できるようになる。
【００１３】
また、本発明において、前記蓄熱層を、少なくともその一方の面が外壁面により画されている空間内に各蓄熱体を収容することにより形成するようにしたときは、前記蓄熱層の一つの面を外壁面（外壁の戸外側の面又は室内側の面）を利用して構成することができるので、前記蓄熱層の材料コスト及び施工コストを低く抑えることができる。
【００１４】
また、本発明において、前記蓄熱層を、断熱性素材により形成された略箱状容器内の空間に各蓄熱体を収容することにより形成するようにしたときは、例えば工場で大量生産した前記容器を建物の所望の位置に運んで設置するだけで前記空間を形成することができるので、前記蓄熱層の施工を極めて低コストで効率よく行うことができる。
【図面の簡単な説明】
【００１５】
【図１Ａ】本発明の実施形態１に係る、低層店舗用の外壁側蓄熱層を備えた地中熱利用建物空調システムを示す側断面図である。
【図１Ｂ】本実施形態１を示す平断面図である。
【図１Ｃ】本実施形態１を示す部分斜視図である。
【図２】本発明の実施形態２に係る、低層店舗用の外壁側蓄熱層を備えた地中熱利用建物空調システムを示す側断面図である。
【図３Ａ】本発明の実施形態３に係る、体育館用の外壁側蓄熱層を備えた地中熱利用建物空調システムを示す側断面図である。
【図３Ｂ】本実施形態３を示す平断面図である。
【図４Ａ】本発明の実施形態４に係る、ドーム状建物用の外壁側蓄熱層を備えた地中熱利用建物空調システムを示す側断面図である。
【図４Ｂ】本実施形態４を示す平断面図である。
【図５】（ａ）は本発明の実施形態５に係る、外壁側蓄熱層を備えた地中熱利用建物空調システムを説明するための部分側断面図、（ｂ）は他の変形例を示す部分側断面図である。
【図６】本発明の実施形態６に係る、外壁側蓄熱層を備えた地中熱利用建物空調システムを説明するための部分側断面図である。
【発明を実施するための形態】
【００１６】
〔第１の実施形態〕
以下、本発明の実施の形態を図面を用いて説明する。図１Ａは、本発明の実施形態１に係る、低層店舗用の外壁側蓄熱層を備えた地中熱利用建物空調システムを示す側断面図、図１Ｂはその平断面図、図１Ｃはその部分斜視図である。
【００１７】
図１Ａ〜１Ｃにおいて、１は低層店舗の外壁、２は低層店舗のフラット型屋根、３は低層店舗の床面、４は地盤面、５は前記地盤面４から例えば約２〜１０ｍの地中に埋設した地中パイプ（例えば直径約３０〜５０ｃｍの外管５ａと直径約１５〜４０ｃｍの内管５ｂとから成る二重パイプ）、６は吸込口６ａから戸外の空気を取り込んで前記地中パイプ５に供給する空気供給室（空気供給室６内の空気は、図示しないファンにより前記地中パイプの外管５ａと内管５ｂとの間の隙間の中に導入され下降させられる）、７は前記外壁１の室内側に前記床面３から上方向に（縦方向に）突出する略直方体の空間を前記外壁１と共に形成する仕切板（外壁１又は床面３に固定されるように施行、設置される仕切板）、７ａは前記仕切板７の図示上方部分に形成された吹出口であって前記空間内の空気を室内側に放出する吹出口、５ｂａは前記仕切板７及び外壁１により形成された空間中の下方の位置に導入された前記地中パイプ５の内管５ｂの上端部（空気排出口）、８は前記仕切板７及び外壁１により形成された空間の内部に多数のグリ石が収容、充填されて成る蓄熱層、９は前記屋根２の複数箇所に形成されたハッチであって夏季は排気用に開放され冬季や雨天のときは閉じられる自動開閉ハッチ（天窓兼用）、１０は前記屋根２の下側近傍と前記空気供給室６内とを接続する循環ダクト（冬用）、１１は冬季において前記屋根２の下側近傍の暖かい空気を前記循環ダクト１０を介して前記空気供給室６内に送るために開放されるダンパーである。
【００１８】
図１Ｃに示すように、前記仕切板７は、平断面が略コの字状の板などにより構成されている。また、図１Ｃに示すように、前記蓄熱層８は、前記仕切板７と外壁１（図１Ａの例では外壁の室内側の面）と床面３とで囲まれ区画された収容空間１４内に、多数のグリ石１３を充填することにより構成されている。前記収容空間１４内では前記各グリ石１３間の各隙間を介して互いに空気が流通できるようになっている。前記蓄熱層８は、前記地中パイプ５内で地中熱と熱交換された空気を取り込み、その空気の熱を前記各グリ石１３に伝え蓄熱させると共に前記空気を前記各グリ石１３と熱交換させた後、前記熱交換された空気を前記吹出口７ａから室内に放出、供給するものである。なお、図１Ｃにおいて、７ｂは前記収容空間１４の上方を塞ぐための薄板状の蓋部である。
【００１９】
次に本実施形態１の動作を説明する。図示しないファンが常時作動されることにより、夏季の戸外の暑い空気（又は冬季の戸外の冷たい空気）は、前記空気供給室６内に導入された後、前記地中パイプ５の外管５ａと内管５ｂとの間の隙間内に導入され、そこを下降し、外管５ａの底部５ａａに衝突し、反転して内管５ｂ内に入り、上昇する。これらの過程で、前記夏季の戸外の暑い空気（又は冬季の戸外の冷たい空気）は、夏季は外気よりも冷たい地中熱（又は冬季は外気よりも暖かい地中熱）と熱交換される。
【００２０】
その後、前記内管５ｂ内を上昇した空気は、前記内管５ｂの上端部の空気排出口５ｂａから前記蓄熱層８内に供給され、前記蓄熱層８内（前記各グリ石１３間の各隙間）を流通する。前記蓄熱層８内に供給された空気は、前記蓄熱層８内を流通する過程で、前記各グリ石１３に自らの熱を伝え蓄熱させると共に前記各グリ石１３との間で熱交換される。その後、前記蓄熱層８内の空気は、前記吹出口７ａから室内に供給される。なお、冬季には、前記ダンパー１１が開放されて前記循環ダクト１０の下端部が前記空気供給室６に空気流通可能に接続される結果、屋根２の近傍の太陽熱で暖められた空気が、前記空気供給室６を介して、前記地中パイプ５の外管５ａと内管５ｂとの間の隙間中に供給される。
【００２１】
前記蓄熱層８内の各グリ石１３は、それ自体が蓄熱機能を有している。よって、例えば夏季には、夜間の時間帯などにおいて、前記各グリ石１３は、前記地中パイプ５からの空気（地中熱と熱交換されて冷やされた空気）と熱交換されることにより十分に冷やされるので、特に暑い昼間の時間帯などにおいては、前記地中パイプ５からの空気は、前記蓄熱層８内で前記各グリ石１３と熱交換されて十分に冷やされてから、室内に供給される。また、例えば冬季には、昼間の時間帯などにおいて、前記各グリ石１３は、前記地中パイプ５からの空気（前記屋根２の下側近傍の太陽熱で暖められた空気が前記地中パイプ５内に送られ、その後、地中熱と熱交換されて更に暖められた空気）と熱交換されることにより十分に暖められるので、特に寒い夜間の時間帯などにおいては、前記地中パイプ５からの空気は、前記蓄熱層８内で前記各グリ石１３と熱交換されて十分に暖められてから、室内に供給される。
【００２２】
以上のように、本実施形態１によれば、戸外からの空気を、夏季は地中熱及び前記蓄熱層８内の各グリ石１３と熱交換して十分に冷やした後に、また冬季は地中熱及び前記蓄熱層８内の各グリ石１３と熱交換して十分に暖めた後に、室内に供給することができる。また、本実施形態１では、前述のような空調機能（熱交換機能）を有する蓄熱層８を、建物の外壁面（本実施形態１では外壁１の室内側の面）と前記仕切板７と床面３とにより形成される収容空間１４内に多数のグリ石１３を収容することにより形成している。すなわち、本実施形態１では、前記蓄熱層８のコストを、既築の建物の外壁面（本実施形態１では外壁１の室内側の面）を利用することにより、材料及び施工の両面で大きく低減することができる。よって、本実施形態１によれば、前記蓄熱層８を既築の建物に対して低コストで容易に付加することができるようになり、既築の建物に対して地中熱及び蓄熱層を利用した建物空調システムを低コストで容易に設置（追加）できるようになる。
なお、図１Ａ〜１Ｃに示す例では、空気供給室６を外壁１の戸外側に設置すると共に蓄熱層８を外壁１の室内側に設置するというように、空気供給室６と蓄熱層８とを別々に設置するようにしているが、このように別々に設置するときは両者を併せた設置スペースが過大となってしまう場合があるので、前記空気供給室６と蓄熱層８とを一箇所に集約し又は一体化して、前記空気供給室６及び蓄熱層８を、外壁１の戸外側だけに設置するか、又は外壁１の室内側だけに設置するようにしてもよい。
すなわち、本実施形態１では図１Ａ〜１Ｃに示すように「空気供給室６と蓄熱層８とを、外壁の外側と内側とにそれぞれ別々に設置する」ようにしているが、本発明ではこれに限られるものではなく、「戸外と蓄熱槽とを繋ぐ空気流路」及び「地中パイプと蓄熱槽とを繋ぐ空気流路」を、「外壁の外側又は内側に設置される蓄熱層」と同じ側に前記蓄熱層と同じスペース内に集約又は一体化するように形成してもよい。このようにした場合、特に蓄熱層を外壁の外側に設置するときは、地中パイプはその蓄熱層の直下に埋設するようにしてもよい。
【００２３】
〔第２の実施形態〕
次に図２を参照して、本発明の実施形態２に係る、低層店舗用の外壁側蓄熱層を備えた地中熱利用建物空調システムを説明する。本実施形態２は前記実施形態１と基本的構成が同一であるので、以下では異なる部分についてのみ説明する。
【００２４】
本実施形態２では、低層店舗の山形屋根２ａを備えている。また前記山形屋根２ａの上端部には換気ファン２１が備えられており、この換気ファン２１により、夏季においては、前記山形屋根２ａの下側近傍の太陽熱で暖められた空気を戸外に放出できるようにしている。これ以外の構成は前記実施形態１とほぼ同様である。よって、本実施形態２によっても前記実施形態１と同様の作用効果を得ることができる。
【００２５】
〔第３の実施形態〕
次に図３Ａ，３Ｂを参照して、本発明の実施形態３に係る、体育館用の外壁側蓄熱層を備えた地中熱利用建物空調システムを説明する。本実施形態３は前記実施形態１，２と基本的構成が同一であるので、以下では異なる部分についてのみ説明する。
【００２６】
本実施形態３の体育館では、断面円弧状屋根２ｂを備えている。前記断面円弧状屋根２ｂの上端部には換気ファン２１が備えられており、この換気ファン２１により、夏季においては、断面円弧状屋根２ｂの下側近傍の太陽熱で暖められた空気を戸外に放出できるようにしている。これ以外の構成は前記実施形態１，２とほぼ同様である。よって、本実施形態３によっても前記実施形態１，２と同様の作用効果を得ることができる。
【００２７】
〔第４の実施形態〕
次に図４Ａ，４Ｂを参照して、本発明の実施形態４に係る、ドーム状建物用の外壁側蓄熱層を備えた地中熱利用建物空調システムを説明する。本実施形態４は前記実施形態１〜３と基本的構成が同一であるので、以下では異なる部分についてのみ説明する。
【００２８】
本実施形態４では、ドーム状外壁（外壁と屋根が一体的に形成されて成る、屋根をも兼ねる外壁）２２が備えられている。前記ドーム状外壁２２の上端部には自動開閉ハッチ９ａが備えられており、この自動開閉ハッチ９ａにより、夏季においては、前記ドーム状外壁２２の近傍の太陽熱で暖められた空気を戸外に放出できるようにしている。これ以外の構成は前記実施形態１〜３とほぼ同様である。よって、本実施形態４によっても前記実施形態１〜３と同様の作用効果を得ることができる。
【００２９】
〔第５の実施形態〕
次に図５を参照して、本発明の実施形態５に係る、外壁側蓄熱層を備えた地中熱利用建物空調システムを説明する。本実施形態５では、蓄熱層２８が外壁１の外側の地盤面４上に設置されている点に特徴がある（これに対して、前記各実施形態１〜４では、いずれも、蓄熱層８は外壁１の室内側の床面３上に設置されている)。
【００３０】
すなわち、本実施形態５では、図５（ａ）の側断面図に示すように、外壁１の外側（図示右側）の地盤面４上に、略直方体状の収容空間を形成するための平断面が略コの字状の仕切板２７が設置されている。そして、前記仕切板２７により形成される収容空間内に多数のグリ石が収容、充填されることにより、蓄熱層２８が形成されている。なお、前記収容空間の上方は、多数のグリ石が収容、充填された後に、蓋部２７ｃで閉塞される。
【００３１】
また、前記収容空間(又は蓄熱層２８)の外側（図示右側）の地盤面４には地中パイプ５が埋設されている。そして、前記地中パイプ５の外管５ａの上端の外気導入口５ａｂが、戸外の空気を取り込み可能に配置されている。また、前記地中パイプ５の内管５ｂの上端の空気排出口５ｂａ（前記地中パイプ５内で地中熱と熱交換された空気を前記蓄熱層２８内に供給するための空気排出口）は、前記蓄熱層２８内に配置されている。
【００３２】
また、前記蓄熱層２８内の図示上方には吹出用パイプ２７ｂが配置されている。前記吹出用パイプ２７ｂの一方の開口端部は、室内側に向けて配置され、前記蓄熱層２８内で熱交換された空気を室内に供給する吹出口２７ａとなっている。
【００３３】
以上のように、本実施形態５では、前記蓄熱層２８が外壁１の外側に設置されている点で前記各実施形態１〜４と異なっているが、戸外からの空気を地中パイプ５中に導入してその中で流通させながら地中熱と熱交換させ、その後、この空気を蓄熱層２８内に送って其処でも熱交換させてから室内に供給するという基本的構造は同じである。よって、本実施形態５によっても、前記各実施形態１〜４とほぼ同様の作用効果を奏することができる。なお、図５（ａ）では、前記収容空間を、平断面が略コの字状の仕切板２７と外壁１の外側の面などで構成する（すなわち、前記収容空間を区画する建物側の面を建物の外壁１それ自体により構成する）ようにしている（図１Ｃも参照）が、本発明では、前記収容空間を平断面が略ロの字状の仕切板で形成するようにしてもよい。また、図５（ａ）で示す例では、前記収容空間の底面を板又はコンクリート製などの板状部材により構成するようにしているが、この底面を構成する板状部材を無くして、前記収容空間の底面を地盤面４により構成するようにしてもよい。
【００３４】
次に、図５（ｂ）は本実施形態５の変形例を示す側断面図である。この変形例では、図５（ｂ）に示すように、地中パイプ５が、前記仕切板２７等で形成される収容空間(又は蓄熱層２８)の外側（図示右側）の地盤面４から地中にではなく、前記収容空間(又は蓄熱層２８)の下方の地盤面４から地中に埋設されている。そのため、この変形例では、前記地中パイプ５の地盤面４より上方の部分は前記蓄熱層２８内に配置され、前記地中パイプ５の外管５ａの上端の外気導入口５ａｂだけが、前記収容空間（前記仕切板２７）から外側に向けて、外気を取り込み可能に、戸外に露出されている。このような変形例によっても前記図５（ａ）に示した例と同様の作用効果を奏することができる。
【００３５】
〔第６の実施形態〕
次に図６を参照して、本発明の実施形態６に係る、外壁側蓄熱層を備えた地中熱利用建物空調システムを説明する。本実施形態６では、蓄熱層２８を構成する多数のグリ石１３を収容するための収容空間３４を、外壁１とは独立に移動・運搬可能な製品として製造された略箱状の容器（上方が開口部となっているケース）３７により構成している点に特徴がある（これに対して、前記各実施形態１〜５では、いずれも、多数のグリ石１３が収容される収容空間（又は蓄熱層８，２８）を、建物の外壁１を利用して形成するようにしていた）。
【００３６】
すなわち、本実施形態６では、前記容器３７は、木材、プラスチック、発泡体、又はコンクリートなどの断熱性素材により、独立に移動・運搬可能な製品として、工場などで製造される。また前記容器３７の下方部分には前記地中パイプ５の内管５ｂからの空気を前記容器３７内に導入するための導入口３７ｂが形成されており、前記容器３７の上方部分には前記容器３７内からの空気を室内に供給するための吹出口３７ａが形成されている。
【００３７】
なお図６において、３７ｃは前記容器３７内に多数のグリ石１３を充填した後に前記容器３７の上方の開口部（収容空間３４の上方部分）を塞ぐための蓋部である。また図６において、前記地中パイプ５の外管５ａと内管５ｂとの間の隙間に戸外からの空気を導入するための構成は、前記各実施形態１〜５と同様であるので、図示を省略する。
【００３８】
以上のように、本実施形態６によれば、前記各実施形態１〜５と同様の基本的効果を奏することに加えて、前記蓄熱層２８を外壁１とは独立に移動・運搬可能な断熱性の容器３７により構成するようにしたので、例えば工場で大量生産した前記容器３７を建物の所望の位置に運んで設置するだけで前記蓄熱層２８を形成することができ、前記蓄熱層２８の施工を極めて低コストで且つ効率よく行うことができる。
【００３９】
以上、本発明の各実施形態について説明したが、本発明はこれに限られるものではなく様々な変更が可能である。例えば、前記各実施形態１〜６においては、前記地中パイプ５は、いずれも、戸外からの空気を外管５ａと内管５ｂとの間の隙間に導入して下降させた後に外管５ａの底部で衝突、反転させて内管５ｂ内に入れて上昇させてから前記蓄熱層８，２８内に供給するものとして構成したが、本発明では、前記と逆に、前記地中パイプ５を、戸外からの空気を内管５ｂの内部に導入して下降させた後に外管５ａの底部で衝突、反転させて外管５ａと内管５ｂとの隙間に入れてその中を上昇させてから前記蓄熱層８，２８内に供給するものとして構成してもよい。
【００４０】
また、前記各実施形態１〜６においては、前記地中パイプ５と前記蓄熱層８，２８との関係について、いずれも、まず地中パイプ５内で空気を地中熱と熱交換させ、その後に前記の地中熱と熱交換させた空気を蓄熱層８，２８内に供給して其処で更に熱交換させ、このようにして２段階で熱交換させた空気を室内ニ供給するように構成したが、本発明では、前記と逆に、まず蓄熱層８，２８内に戸外からの空気を取り込んで其処で熱交換させ、前記の蓄熱層８，２８内で熱交換させた空気を更に地中パイプ５内に導入して地中熱と熱交換させ、このようにして２段階で熱交換させた空気を前記地中パイプ５から室内に供給するようにしてもよい。
【００４１】
また、前記各実施形態１〜６においては、前記収容空間１４，３４内に多数のグリ石１３を収容、充填することにより蓄熱層８，２８を構成するようにしたが、本発明においては、これに限られることなく、例えば前記収容空間１４，３４内に、前記多数のグリ石１３に代えて、従来より公知の、蓄熱機能を有する各蓄熱体（例えば、約２０〜２３℃で液体状からゲル状に遷移する公知の蓄熱体、石又は岩自らが吸・放湿性又は空気浄化機能を有している例えばゼオライト岩とか珪藻岩などの素材から成る蓄熱体など）を収容、充填することにより前記蓄熱層８，２８を構成するようにしてもよい。さらに、前記各実施形態１〜６において、前記蓄熱層８，２８は、いずれも、地盤面４の上方に配置するようにしたが、本発明においては、前記蓄熱層８，２８を、地盤面４の上方だけでなく地盤面４の下方の地中まで延長させるようにしてもよい。
【符号の説明】
【００４２】
１    外壁
２    屋根
２ａ  山形屋根
２ｂ  断面円弧状屋根
３    床
４    地盤面
５    地中パイプ
５ａ  外管
５ａａ 底部
５ａｂ 外気導入口
５ｂ  内管
５ｂａ 上端部
５ｂａ 空気排出口
６    空気供給室
６ａ  吸込口
７，２７     仕切板
７ａ  吹出口
８，２８     蓄熱層
９ａ  自動開閉ハッチ
１０  循環ダクト
１１  ダンパー
１３  グリ石
１４，３４   収容空間
２１  換気ファン
２７ａ 吹出口
２７ｂ 吹出用パイプ
２７ｃ，３７ｃ     蓋部
３７  容器
３７ａ 吹出口
３７ｂ 導入口
【図１Ａ】
0006014696.tif 000002
【図１Ｂ】
0006014696.tif 000003
【図１Ｃ】
0006014696.tif 000004
【図２】
0006014696.tif 000005
【図３Ａ】
0006014696.tif 000006
【図３Ｂ】
0006014696.tif 000007
【図４Ａ】
0006014696.tif 000008
【図４Ｂ】
0006014696.tif 000009
【図５】
0006014696.tif 000010
【図６】
0006014696.tif 000011